(57)【要約】【課題】映像メタデータとキーワードを活用して映像をアーカイブ装置に効率的に蓄積し、映像アーカイブ装置の記憶容量を最小化することによって、装置の低価格化を実現し、かつ蓄積された膨大な映像の中から利用者が所望する映像をキーワードや録画が行われた時期等の情報を入力するだけで探し出し視聴することができる全自動型アーカイブを提供すること。【解決手段】映像内容をテキスト化し、全国放送局コードや秒単位の正確なタイムコード等を付与したメタデータを作成し、そのメタデータをキーワードで検索する。あらがじめ決められたルールで、録画した全映像の中から抽出したメタデータに対応する映像を編集し切り取って自動的に保存する。利用者は、保存されている映像をキーワードや録画された時期等で検索し、検索された映像内容を示すテキストから視聴する映像を選択する。【選択図】図１
2008079263.tif 000002
【特許請求の範囲】
【請求項１】
映像録画装置又はアーカイブ装置等に蓄積した映像の内容やタイトルをテキスト化し、放送番組であれば全国放送局コードと秒単位の正確なタイムコード等、放送番組以外の映像であれば映像認識コードと秒単位の正確なタイムコード等を付与してメタデータ化し、一方で必要とする映像に関する単数あるいは複数のキーワードを設定してメタデータ化した情報をキーワード検索し、抽出したメタデータの全国放送局コード又は映像認識コードと秒単位の正確なタイムコード等に対応する映像部分を認識し、その映像部分だけを自動的に編集し切り取る方法。
【請求項２】
自動的に編集し切り取った映像をリアルタイムあるいは一日又は数日単位の一括処理で、映像に関するメタデータと共に自動的にアーカイブ装置に蓄積する方法。
【請求項３】
アーカイブした映像の中から必要な映像を探し出す際には、映像と共に蓄積されているメタデータを単数あるいは複数のキーワードや録画が行われた時期等で検索し、視聴候補映像に関するテキストを映像アーカイブ装置本体又はＬＡＮ又はインターネットに接続されているパソコン等の画面に表示、画面上で任意のテキストを選択することで、映像メタデータの全国放送局コード又は映像認識コードと秒単位の正確なタイムコード等により探し出し、映し出すこと、また、アーカイブした映像やメタデータを分類、管理することをも可能にする方法。
【発明の詳細な説明】
【技術分野】
【０００１】本発明は、映像アーカイブ装置の記憶容量の最小化と映像検索を容易にするための方法に関する。
【背景技術】
【０００２】近年、映像の利用価値が上がり、過去の映像を蓄積し確認するべき需要が増しているが、全ての映像を数年間蓄積するには膨大な記憶容量を持つ装置が必要となり費用がかかり過ぎ普及が困難であるため、蓄積するべき映像を絞りこむ方法が必要である。しかもアーカイブされた膨大な映像の中から必要な映像を検索する方法も必要である。【０００３】これまでは、全自動で映像をアーカイブするとなると、放送局にあるような自局で放送する映像のみを番組単位で保存する大規模なシステムしかなく、複数の放送局に跨って必要な映像全てを自動的にアーカイブすることは不可能であり、ＤＶＤやハードディスクに断片的に蓄積する方法が取られてきた。
【発明の開示】
【発明が解決しようとする課題】
【０００４】しかしながら蓄積された映像をアーカイブし、それを必要とする時に検索し利用する重要性が増してきた今日においても、必要とする映像とその内容に関するメタデータをあらかじめ決められたルールで自動的にアーカイブしていく方法は存在しなかった。【０００５】本発明は、以上のような実情に鑑みてなされたものであり、放送番組であれば利用者が選択した全ての放送局の全ての番組を録画して映像の内容や番組タイトルをテキスト化し、全国放送局コードと映像の秒単位の正確なタイムコード等を付与したメタデータに対して、必要とする映像に関する情報を予め又は事後的に単数あるいは複数のキーワードで設定し、自動的にメタデータを検索し、抽出されたメタデータに対応する映像を全国放送局コードや秒単位の正確なタイムコード等に従って自動的に編集し切り取り、抽出されたメタデータと共にハードディスク等に保存、映像が必要となった段階で、単数あるいは複数のキーワードや録画が行われた時期等を用いて抽出されたメタデータを検索し、視聴する映像の候補を画面にテキストで表示、利用者がテキストを選択することで所望の映像を視聴できる方法を提供することを目的とする。
【課題を解決するための手段】
【０００６】本発明では、放送番組であれば利用者が選択した全ての放送局の全ての番組をＭＰＥＧ−２、ＭＰＥＧ−４、Ｈ．２６４等の方法を用いて映像を圧縮した状態で映像アーカイブ装置にデジタル録画する。【０００７】映像の内容や番組タイトルをテキスト化し全国放送局コードや秒単位の正確なタイムコード等を付与したメタデータを作成し、データベースに格納する。このメタデータを格納したデータベースについては、業者から提供を受ける場合もある。【０００８】一方で必要とする映像に関する情報を予め又は事後的に単数あるいは複数のキーワードで設定し、設定した単数あるいは複数のキーワードで取得又は作成したメタデータを自動的に検索する。抽出されたメタデータに対応する映像を全国放送局コードや秒単位の正確なタイムコード等に従って自動的に編集し切り取って、抽出されたメタデータと共にハードディスク等の記憶装置に保存する。【０００９】映像が必要となった段階で、単数あるいは複数のキーワードや録画が行われた時期等を用いてアーカイブ装置に格納されている抽出されたメタデータを検索して視聴する映像の候補を画面にテキストで表示し、利用者に所望の内容のテキストを選択させることで、抽出されたメタデータの全国放送局コードと秒単位の正確なタイムコード等から利用者が所望する内容の映像を視聴させる。【００１０】しかもアーカイブ装置では、テレビ放送でいえば利用者が選択した全ての放送局の放送番組を１日２４時間毎日録画し蓄積したものを、単数あるいは複数のキーワードで選別し、必要最小限の映像だけを編集し切り取り取ることで、たった２テラバイト程度の集団ハードディスクに５年間程度の映像が保存できる。【００１１】また、本発明の方式は、ＮＨＫのような大放送局でも従来自局の放送番組についてしか構築できなかった映像アーカイブを、利用者が選択した全ての放送局の全ての番組を対象に低コストで実現することができるため、ますます大容量の映像を保存する必要が生じている個人や企業のニーズを満たすことができる。【００１２】しかも、アーカイブ装置の記憶容量が一杯になった場合、もう一台の新たなアーカイブ装置をローカルネットワーク上に追加設置することで、更に５年間程度、必要な映像をアーカイブすることができる。
【発明の実施するための最良の形態】
【００１３】本発明では、利用者が選択した全ての放送局の全ての放送番組が１日２４時間毎日自動的に録画され、全映像ファイル１の中に蓄積されている。
【００１４】全映像ファイル１の中に蓄積された映像の内容や番組タイトルは、認識技術または手作業によってテキスト化され、映像内容テキストファイル２が作成される。
【００１５】映像内容テキストファイル２には全国放送局コードと秒単位の正確なタイムコード等が付与されてデータベースに格納され、映像メタデータデータベース３が作成される。この映像メタデータデータベース３については、業者から提供を受ける場合もある。
【００１６】映像メタデータデータベース３は、予め又は事後的に設定された単数あるいは複数のキーワードで検索され、その結果、抽出されたメタデータファイル４が作成される。
【００１７】抽出されたメタデータファイル４に対応する部分の映像だけが自動的にコピー又はムーブされて切り取り済み映像ファイル５となる。
【００１８】切り取り済み映像ファイル５は、抽出されたメタデータファイル４と共に保存される。
【００１９】全映像ファイル１の中に蓄積された映像は、録画から一定の期間を経過した映像から自動的に消去されていく。
【００２０】本発明の利用者が所望の映像を探す場合は、抽出されたメタデータファイル４を単数あるいは複数のキーワードや録画が行われた時期等で検索する。
【００２１】利用者が入力した単数あるいは複数のキーワードや録画が行われた時期等に一致する抽出されたメタデータファイル４が見つかれば、それが候補映像テキスト６の形で画面上に表示される。
【００２２】利用者が候補映像テキスト６から任意のものを選択すると、対応する切り取り済み映像ファイル５を視聴することができる。
【００２３】視聴した結果、利用者が特に大切だ又は別に管理すべきだと判断した映像に対応する抽出されたメタデータファイル４は、選別されたグループ化メタデータファイル７にコピーすることができる。
【図面の簡単な説明】
【００２４】
【図１】本発明の実施形態の利用者に、メタデータとキーワードを活用して効率的に映像をアーカイブし、更にそのアーカイブされた膨大な映像の中から所望する映像を効率的に探し出し視聴することを可能にする方法の概念を説明する説明図である。
【符号の説明】
【００２５】１映像録画装置又はアーカイブ装置等で録画した全ての映像を蓄積したファイル。
２全映像ファイル１に蓄積きれた映像の内容や番組タイトルを認識技術または手作業によってテキスト化したもの。
３映像内容テキストファイル２に全国放送局コードと秒単位の正確なタイムコード等を付与してメタデータ化したものをデータベースに格納したもの。
４映像メタデータデータベース３を予め又は事後的に設定した単数あるいは複数のキーワードで検索した結果、抽出されたもの。
５抽出されたメタデータファイル４に対応する部分の映像だけが全映像ファイル１からコピー又はムーブされたもの。
６所望の映像を探す利用者が単数あるいは複数のキーワードや録画が行われた時期等を用いて抽出されたメタデータファイル４を検索した結果表示されるテキスト。
７探し出した映像を視聴した利用者が、大切だ又別に管理すべきだと判断した場合に、映像に対応する抽出されたメタデータファイル４をコピーして保存しておくためのファイル。
【図１】
2008079263.tif 000003